(57)【要約】      （修正有）【課題】制御基板と各インクジェットヘッドとの間の配線を誤った場合でも、正常な印刷を行うインクジェット印刷装置を提供する。【解決手段】制御基板６０の各コネクタ１００と、各コネクタ１００に接続された各インクジェットヘッド３４の識別情報とが対応づけられたヘッド接続情報が予め記憶されたヘッド接続情報記憶部と、各コネクタ１００に接続された各インクジェットヘッド３４の識別情報を取得してヘッド接続情報と異なるか否かを判定する判定部９１ａとを備え、ヘッド制御回路８４が、インクジェットヘッド３４の識別情報がヘッド接続情報と異なると判定され、かつヘッド接続情報と異なる識別情報のインクジェットヘッド３４に接続されたデータ線１０１の接続先のコネクタ１００が誤っている場合、各インクジェットヘッド３４に正しい制御データが出力されるようにコネクタ１００に出力する制御データを切り替える。【選択図】図４
2020116896.tif 000002
【特許請求の範囲】
【請求項１】
印刷媒体に対してインクを吐出する複数のインクジェットヘッドと、
複数のコネクタおよび前記インクジェットヘッド毎の制御データを前記各コネクタに供給するヘッド制御回路を有する制御基板と、
前記各インクジェットヘッドに対して一端が接続され、前記各コネクタに対して他端が接続され、前記各コネクタから出力された制御データを前記各インクジェットヘッドに対してそれぞれ供給する複数のデータ線と、
前記各コネクタと該各コネクタに対して前記データ線を介して接続された各インクジェットヘッドの識別情報とが対応づけられたヘッド接続情報が予め記憶されたヘッド接続情報記憶部と、
前記各コネクタに対して前記データ線を介して接続された各インクジェットヘッドの識別情報を取得して前記ヘッド接続情報と異なるか否かを判定する判定部とを備え、
前記ヘッド制御回路が、前記判定部によって少なくとも２つの前記インクジェットヘッドの識別情報が前記ヘッド接続情報と異なると判定され、かつ前記ヘッド接続情報と異なる識別情報のインクジェットヘッドに接続されたデータ線の接続先の前記コネクタが誤っている場合には、前記ヘッド接続情報と異なる識別情報のインクジェットヘッドに対して正しい前記制御データが出力されるように、前記コネクタに出力する制御データを切り替えるインクジェット印刷装置。
【請求項２】
前記各インクジェットヘッドが、該各インクジェットヘッドに固有の特性情報を記憶する特性情報記憶部を有し、
前記ヘッド制御回路が、前記特性情報記憶部から読み出した前記各インクジェットヘッドの特性情報に基づいて、前記各インクジェットヘッドを制御する請求項１記載のインクジェット印刷装置。
【請求項３】
前記判定部によって少なくとも２つの前記インクジェットヘッドの識別情報が前記ヘッド接続情報と異なると判定された場合、
前記ヘッド制御回路が、前記各コネクタに前記データ線を介して接続された各インクジェットヘッドに対してそれぞれ異なるパターンの画像を表す制御データを出力し、
前記インクジェットヘッド毎に異なるパターンの制御データの印刷結果に基づいて、前記ヘッド制御回路による前記制御データの出力先のコネクタの切り替えが行われる請求項１または２記載のインクジェット印刷装置。
【請求項４】
前記判定部によって１つの前記インクジェットヘッドの識別情報のみが前記ヘッド接続情報と異なると判定された場合、前記ヘッド接続情報と異なるインクジェットヘッドの識別情報が新たな識別情報として記憶されて前記ヘッド接続情報が更新される請求項１から３いずれか１項記載のインクジェット印刷装置。
【請求項５】
前記ヘッド制御回路における前記制御データの出力先のコネクタの切り替え状態が出力される請求項１から４いずれか1項記載のインクジェット印刷装置。
【発明の詳細な説明】
【技術分野】
【０００１】
本発明は、複数のインクジェットヘッドを備えたインクジェット印刷装置に関する。
【背景技術】
【０００２】
従来、搬送経路上を搬送される印刷媒体に対して、インクジェットヘッドからインクを吐出して印刷処理を行うインクジェット印刷装置が提案されている。
【０００３】
このようなインクジェット印刷装置として、印刷媒体の搬送方向に直交する方向に複数のインクジェットヘッドを配置し、その複数のインクジェットヘッドによって１ライン分の印字を行うライン型のインクジェット印刷装置が提案されている。
【０００４】
ライン型インクジェット印刷装置においては、複数のインクジェットヘッドからなるラインヘッドがインクの色毎に設けられるので、多数のインクジェットヘッドが設置される。
【先行技術文献】
【特許文献】
【０００５】
【特許文献１】特開２００８−１００４７１号公報
【特許文献２】特開２０１６−１５９４５３号公報
【発明の概要】
【発明が解決しようとする課題】
【０００６】
ここで、上述したような多数のインクジェットヘッドを備えるライン型のインクジェット印刷装置においては、インクジェットヘッドを制御する制御基板と各インクジェットヘッドとを接続する配線が多数あり、かつ各インクジェットヘッドにインクを供給するためのインク経路も存在するため、装置内で物理的構造物が込み合っており、正確に配線することが非常に困難である
【０００７】
また、インクジェットヘッドは、装置の中心部分に配置され、インクジェットヘッドの交換などの重整備の際にのみアクセスするため、容易にインクジェットヘッドにアクセス可能な構造となっておらず、一旦間違えて配線してしまうと、再度インクジェットヘッドにアクセスするためには、それなりの工数を必要とする。各配線にマークを付することも考えらえるが、製造工程での工数が必要となり、コストが上昇してしまう。
【０００８】
なお、特許文献１においては、インクカートリッジに半導体メモリなどの記憶素子を設け、その記憶素子にインクの色を識別するための識別ＩＤやインクの残量を記憶することが提案されているが、上述したような制御基板と各インクカートリッジとの間の配線間違いについては、何も提案されていない。
【０００９】
また、特許文献２には、各インクジェットヘッドの駆動回路に制御信号を出力する主基板と、各インクジェットヘッドの駆動回路が設けられた副基板との間の配線に誤りがあった場合に、主基板に設けられたプログラマブル論理回路ユニットの配線状態を切り替えることによって、主基板から副基板に対して正しい制御信号を出力させることが提案されている。
【００１０】
しかしながら、特許文献２では、主基板から副基板への照会信号の出力とその照会信号に応じた副基板から主基板への識別信号の出力とを、プログラマブル論理回路ユニットの配線状態を切り替えながら繰り返して行う必要があり、信号処理および回路構成が複雑となり、コストもかかる。
【００１１】
本発明は、上記事情に鑑み、インクジェットヘッドや制御基板の交換の際などに、制御基板と各インクジェットヘッドとの間の配線を誤った場合でも、簡易な処理および回路構成によって正常な印刷を行うことができるインクジェット印刷装置を提供することを目的とする。
【課題を解決するための手段】
【００１２】
本発明のインクジェット印刷装置は、印刷媒体に対してインクを吐出する複数のインクジェットヘッドと、複数のコネクタおよびインクジェットヘッド毎の制御データを各コネクタに供給するヘッド制御回路を有する制御基板と、各インクジェットヘッドに対して一端が接続され、各コネクタに対して他端が接続され、各コネクタから出力された制御データを各インクジェットヘッドに対してそれぞれ供給する複数のデータ線と、各コネクタとその各コネクタに対してデータ線を介して接続された各インクジェットヘッドの識別情報とが対応づけられたヘッド接続情報が予め記憶されたヘッド接続情報記憶部と、各コネクタに対してデータ線を介して接続された各インクジェットヘッドの識別情報を取得してヘッド接続情報と異なるか否かを判定する判定部とを備え、ヘッド制御回路が、判定部によって少なくとも２つのインクジェットヘッドの識別情報がヘッド接続情報と異なると判定され、かつヘッド接続情報と異なる識別情報のインクジェットヘッドに接続されたデータ線の接続先のコネクタが誤っている場合には、ヘッド接続情報と異なる識別情報のインクジェットヘッドに対して正しい制御データが出力されるように、コネクタに出力する制御データを切り替える。
【発明の効果】
【００１３】
本発明のインクジェット印刷装置によれば、制御基板の各コネクタとその各コネクタに対してデータ線を介して接続された各インクジェットヘッドの識別情報とが対応づけられたヘッド接続情報を予め記憶する。そして、各コネクタに対してデータ線を介して接続された各インクジェットヘッドの識別情報を取得してヘッド接続情報と異なるか否かを判定する。そして、少なくとも２つのインクジェットヘッドの識別情報がヘッド接続情報と異なると判定され、かつヘッド接続情報と異なる識別情報のインクジェットヘッドに接続されたデータ線の接続先のコネクタが誤っている場合には、ヘッド接続情報と異なる識別情報のインクジェットヘッドに対して正しい制御データが出力されるように、コネクタに出力する制御データを切り替える。
【００１４】
これにより、インクジェットヘッドや制御基板の交換の際などに、制御基板と各インクジェットヘッドとの間の配線を誤ってしまった場合でも、簡易な処理および回路構成によって正常な印刷を行うことができる。
【図面の簡単な説明】
【００１５】
【図１】本発明のインクジェット印刷装置の一実施形態の概略構成を示す図
【図２】ヘッドユニットの上面図
【図３】図１に示すインクジェット印刷装置の制御系の概略構成を示すブロック図
【図４】制御基板のハードウェアの構成例を示す図
【図５】ヘッド制御回路の概略構成を示す図
【図６】ヘッド接続情報の一例を示す図
【図７】インクジェットヘッドのデータ線が、制御基板のコネクタに対して正しく接続されている場合の印刷結果を示す図
【図８】インクジェットヘッドのデータ線が、制御基板のコネクタに対して間違えて接続された場合の印刷結果を示す図
【図９】テストパターンの一例を示す図
【図１０】図１に示すインクジェット印刷装置の動作を説明するためのフローチャート
【図１１】本発明のインクジェット印刷装置のその他の実施形態の概略構成を示す図
【図１２】テストパターンのその他の例を示す図
【図１３】テストパターンのその他の例を示す図
【発明を実施するための形態】
【００１６】
以下、図面を参照して本発明のインクジェット印刷装置の一実施形態について詳細に説明する。本実施形態のインクジェット印刷装置は、インクジェットヘッドのデータ線の配線間違いを修正する方法に特徴を有するものであるが、まずは、その全体構成について説明する。図１は、本実施形態のインクジェット印刷装置１の概略構成を示す図である。なお、図１に示す上下左右方向が、本実施形態のインクジェット印刷装置１の上下左右方向である。また、図１の紙面手前側が前方向であり、紙面奥側が奥方向である。
【００１７】
本実施形態のインクジェット印刷装置１は、図１に示すように、サイド給紙部１０と、内部給紙部２０と、印刷処理部３０と、排紙部４０と、反転部５０と、制御基板６０と、操作パネル７０とを備えている。
【００１８】
印刷処理部３０、内部給紙部２０および制御基板６０は、金属または樹脂などから形成された筐体内に収容されて設置されている。また、サイド給紙部１０、排紙部４０および反転部５０は、筐体内に一部が収容され、筐体外に一部が突出する状態で設置されている。
【００１９】
サイド給紙部１０は、印刷媒体Ｐが載置される給紙台１１と、給紙台１１から最上位置の印刷媒体Ｐのみを繰り出して給紙搬送路ＦＲ上へ搬送させる１次給紙部１２と、１次給紙部１２によって搬送された印刷媒体Ｐを循環搬送路ＣＲ上へ搬送する２次給紙部１４とを備えている。  
【００２０】
内部給紙部２０は、印刷媒体Ｐが載置される給紙台２１ａと、給紙台２１ａから最上位置の印刷媒体Ｐのみを繰り出して給紙搬送路ＦＲ上へ搬送させる１次給紙部２２ａと、印刷媒体Ｐが載置される給紙台２１ｂと、給紙台２１ｂから最上位置の印刷媒体Ｐのみを繰り出して給紙搬送路ＦＲ上へ搬送させる１次給紙部２２ｂと、印刷媒体Ｐが載置される給紙台２１ｃと、給紙台２１ｃから最上位置の印刷媒体Ｐのみを繰り出して給紙搬送路ＦＲ上へ搬送させる１次給紙部２２ｃと、印刷媒体Ｐが載置される給紙台２１ｄと、給紙台２１ｄから最上位置の印刷媒体Ｐのみを繰り出して給紙搬送路ＦＲ上へ搬送させる１次給紙部２２ｄとを備えている。  
【００２１】
このように２次給紙部１４には、サイド給紙部１０または内部給紙部２０から印刷媒体Ｐが搬送されるとともに、さらに後述する反転部５０からも印刷媒体Ｐが搬送される。  
【００２２】
そのため搬送方向における２次給紙部１４の手前には、内部給紙部２０から給紙された印刷媒体Ｐの搬送経路と、反転部５０から搬送された一方の面が印刷された印刷媒体Ｐの搬送経路とが合流する合流地点が存在する。この合流地点を基準に、給紙機構側の経路を給紙搬送路ＦＲと呼び、それ以外の経路を循環搬送路ＣＲと呼ぶ。
【００２３】
印刷処理部３０は、ヘッドユニット３１と、ヘッドユニット３１に対向して設けられた環状の搬送ベルト１３３とを備えている。
【００２４】
搬送ベルト１３３は、環状の無端ベルトから形成され、多数の吸引孔が形成されている。２次給紙部１４から給紙された印刷媒体Ｐは、環状の搬送ベルト１３３まで搬送される。そして、印刷媒体Ｐは、搬送ベルト１３３の搬送路面の裏面側に設置された吸引ファン１３１，１３２の吸引によって搬送ベルト１３３上に吸着され、所定の搬送速度で搬送される。そして、印刷媒体Ｐが搬送ベルト１３３によって搬送されながら、ヘッドユニット３１から印刷媒体Ｐに対してインクが吐出され、これにより印刷媒体Ｐに対して印刷処理が施される。
【００２５】
ヘッドユニット３１は、４つのラインヘッド３２ａ,３２ｂ,３２ｃ,３２ｄと、４つのラインヘッド３２ａ,３２ｂ,３２ｃ,３２ｄが設置されるヘッドホルダ３３とを備えている。
【００２６】
各ラインヘッド３２ａ〜３２ｄは、それぞれ印刷媒体Ｐの搬送方向に直交する方向に延設されるものであり、搬送ベルト１３３によって搬送される印刷媒体Ｐに対してインクを吐出するものである。４つのラインヘッド３２ａ〜３２ｄは、図１に示すように、印刷媒体Ｐの搬送経路に沿って所定の間隔を空けて配列されている。ラインヘッド３２ａは、ブラックのインクを吐出し、ラインヘッド３２ｂは、シアンのインクを吐出し、ラインヘッド３２ｃは、マゼンダのインクを吐出し、ラインヘッド３２ｄは、イエローのインクを吐出する。
【００２７】
ヘッドホルダ３３は、各ラインヘッド３２ａ〜３２ｄが有するインクジェットヘッド３４が設置される部材である。図２は、各ラインヘッド３２ａ〜３２ｄが有するインクジェットヘッド３４をヘッドホルダ３３に設置した状態を上方から見た上面図である。
【００２８】
ヘッドホルダ３３は、箱型の支持部材から構成されており、ヘッドホルダ３３の底面には、各インクジェットヘッド３４が嵌め込まれて設置される複数の設置孔が形成されている。設置孔は貫通孔であって、各インクジェットヘッド３４のインク吐出面がヘッドホルダ３３の底面外側に露出して配置されるように形成されている。
【００２９】
図２に示す点線四角は、各ラインヘッド３２ａ〜３２ｄが有する６つのインクジェットヘッド３４が配置される範囲を示している。
【００３０】
各ラインヘッド３２ａ〜３２ｄは、図２に示すように、印刷媒体Ｐの搬送方向に直交する方向（前後方向）に３つのインクジェットヘッド３４が等間隔で配置されたヘッド列を有する。各ラインヘッド３２ａ〜３２ｄは、それぞれ２列のヘッド列を有し、その２列のヘッド列は、各ヘッド列のインクジェットヘッド３４が、所定のノズルの数だけオーバーラップするように千鳥状に配置されている。
【００３１】
そして、各ラインヘッド３２ａ〜３２ｄが有する２列のヘッド列のインクジェットヘッド３４によって印字することにより、１ラインの印刷画像が形成される。
【００３２】
また、本実施形態の各インクジェットヘッド３４は、それぞれ記憶部３５（図４参照）を備えている。記憶部３５は、半導体メモリを備えており、各インクジェットヘッド３４に固有のヘッド識別情報および各インクジェットヘッド３４のヘッド特性情報が記憶されている。本実施形態では、ヘッド特性情報として、各インクジェットヘッド３４の基準電圧値および駆動波形の情報が記憶されている。また、本実施形態では、記憶部３５が、本発明の特性情報記憶部に相当する。  
【００３３】
印刷処理部３０により印刷処理の施された印刷媒体Ｐは、循環搬送路ＣＲ上に配置された搬送ローラ等によって循環搬送路ＣＲ上を搬送される。循環搬送路ＣＲ上には、循環搬送路ＣＲ上を搬送された印刷媒体Ｐを排紙部４０へ案内するか、または循環搬送路ＣＲ上を再循環させるかを切り替える切り替え機構４３が備えられている。切り替え機構４３は、具体的には、排紙部４０側の搬送経路と反転部５０側の搬送経路とを切り替える。  
【００３４】
排紙部４０は、インクジェット印刷装置１の筐体から突出したトレイ形状をした排紙台４１と、排紙台４１に印刷媒体Ｐを排紙する一対の排紙ローラ４２とを有する。そして、切り替え機構４３により排紙部４０側の搬送経路に案内された印刷媒体Ｐは、排紙ローラ４２により排紙台４１に排紙される。  
【００３５】
反転部５０は、印刷媒体Ｐを反転させる反転台５１と、循環搬送路ＣＲから反転台５１へ印刷媒体Ｐを搬送するとともに、その反転台５１に搬送された印刷媒体Ｐを循環搬送路ＣＲ上へ再び戻す反転ローラ５２とを備えている。  
【００３６】
切り替え機構４３により反転部５０に案内された印刷媒体Ｐは、反転ローラ５２により循環搬送路ＣＲから反転台５１に搬送され、反転台５１から循環搬送路ＣＲへ再び戻されることによって、表裏が反転した状態で循環搬送路ＣＲ上を搬送される。そして、表裏が反転された印刷媒体Ｐは、循環搬送路ＣＲ上に設けられた搬送ローラ５３等の複数のローラによって印刷処理部３０へ向かって再び搬送される。
【００３７】
操作パネル７０は、液晶ディスプレイを有するタッチパネルから構成されるものであり、種々の設定入力画面を表示し、印刷開始の指示入力などの種々の設定入力を受け付ける。特に、本実施形態の操作パネル７０は、各インクジェットヘッド３４に接続されたデータ線１０１（図４参照）が、インクジェットヘッド３４または制御基板６０の交換などに起因して制御基板６０の各コネクタ１００に誤って接続された場合に、各コネクタ１００に出力する制御データの切り替え情報を受け付ける。この切り替え情報については、後で詳述する。
【００３８】
制御基板６０は、インクジェット印刷装置１全体を制御する。図３は、本実施形態のインクジェット印刷装置１の制御系の概略構成を示すブロック図である。制御基板６０は、ＣＰＵ（Central Processing Unit）および半導体メモリなどを備え、半導体メモリに予め記憶されたプログラムをＣＰＵに実行させることによって、インクジェット印刷装置１の各部の動作を制御する。
【００３９】
図４は、制御基板６０のハードウェアの構成例を示す図である。制御基板６０は、図４に示すように、主コントローラ８０と、メカコントローラ９０と、コネクタ１００とを備えている。
【００４０】
主コントローラ８０は、主に、コンピュータなどから出力された印刷ジョブの入力を受け付け、その印刷ジョブを印刷対象の画像データとジョブデータに分離し、その画像データに基づいて、インクジェットヘッド３４を制御する。ジョブデータは、たとえば印刷媒体Ｐのサイズおよび枚数などといった印刷媒体Ｐの搬送制御に関連する情報を含むデータである。
【００４１】
主コントローラ８０は、具体的には、ＣＰＵ８１、メモリ８２、画像制御回路８３、ヘッド制御回路８４、メカコントローラＩ／Ｆ８５、ユーザＩ／Ｆ８６および外部Ｉ／Ｆ８７を備えている。ＣＰＵ８１は、主コントローラ８０全体を制御し、メモリ８２は、種々の動作を制御するためのプログラムや種々の情報を記憶する。
【００４２】
画像制御回路８３は、印刷ジョブに含まれる画像データに対して種々の画像処理を施す。画像処理としては、たとえば誤差拡散処理および隣接するインクジェットヘッド３４間のつなぎ補正処理などがある。画像制御回路８３において画像処理が施された画像データは、ヘッド制御回路８４に出力される。
【００４３】
ヘッド制御回路８４は、入力された画像処理済みの画像データに基づいて制御データを生成し、その制御データに基づいて各インクジェットヘッド３４を制御して、各インクジェットヘッド３４からインクを吐出させる。また、ヘッド制御回路８４は、メカコントローラ９０から出力された制御信号に基づいて、各インクジェットヘッド３４からのインク吐出タイミング、印刷開始タイミングおよび印刷終了タイミングなどを制御する。
【００４４】
また、ヘッド制御回路８４は、操作パネル７０においてユーザによって設定入力された切り替え情報に基づいて、各コネクタ１００に対して出力される制御データを切り替える。この制御データの切り替えについては、後で詳述する。
【００４５】
コネクタ１００は、各インクジェットヘッド３４に対して制御データを供給するデータ線１０１が接続される。各データ線１０１の一端に各インクジェットヘッド３４が接続され、各データ線１０１の他端に各コネクタ１００が接続される。なお、コネクタ１００およびデータ線１０１は、インクジェットヘッド３４と同じ数だけ設けられるが、図４においては、図示省略している。
【００４６】
メカコントローラＩ／Ｆ８５は、メカコントローラ９０の主コントローラＩ／Ｆ９３と相互に通信し、主コントローラ８０とメカコントローラ９０の間での種々の情報のやりとりを可能とする。
【００４７】
ユーザＩ／Ｆ８６は、操作パネル７０に接続されており、操作パネル７０においてユーザによって設定入力された情報を取得する。
【００４８】
外部Ｉ／Ｆ８７は、たとえば印刷ジョブを出力するコンピュータなどに接続され、コンピュータから出力された印刷ジョブを取得する。
【００４９】
メカコントローラ９０は、主に、主コントローラ８０から出力されたジョブデータを取得し、そのジョブデータに基づいて、搬送系の駆動モータなどのアクチュエータを制御する。
【００５０】
メカコントローラ９０は、具体的には、ＣＰＵ９１、メモリ９２、主コントローラＩ／Ｆ９３、センサＩ／Ｆ９４、アクチュエータＩ／Ｆ９５、および画像制御Ｉ／Ｆ９６を備えている。ＣＰＵ９１は、メカコントローラ９０全体を制御し、メモリ９２は、種々の動作を制御するためのプログラムや種々の情報を記憶する。
【００５１】
また、メカコントローラ９０は、印刷媒体Ｐを検出する用紙検出センサ（図示省略）の検出信号をセンサＩ／Ｆ９４を介して取得し、その検出信号およびジョブデータに基づいて、アクチュエータＩ／Ｆ９５を介して、搬送系のアクチュエータなどに制御信号を出力する。また、メカコントローラ９０は、画像制御Ｉ／Ｆ９６を介して主コントローラ８０の画像制御回路８３およびヘッド制御回路８４に制御信号を出力し、インクジェットヘッド３４からのインク吐出タイミングなどを制御する。
【００５２】
主コントローラＩ／Ｆ９３は、主コントローラ８０のメカコントローラＩ／Ｆ８５と相互に通信し、メカコントローラ９０と主コントローラ８０の間での種々の情報のやりとりを可能とする。
【００５３】
また、メカコントローラ９０は、操作パネル７０においてユーザによって設定入力された切り替え情報に基づいて、ヘッド制御回路８４を制御し、各コネクタ１００に対して出力される制御データを切り替える。以下、各コネクタ１００に対して出力される制御データを切り替える回路構成について説明する。図５は、ヘッド制御回路８４の概略構成を示す図である。なお、説明を分かり易くするため、図５では、２つのコネクタ１００（コネクタ１およびコネクタ２）に対して出力される制御データを切り替える回路構成を示している。
【００５４】
ヘッド制御回路８４は、図５に示すように、読出回路２０１、ヘッド接続情報記憶部２０２、コネクタ１用ＭＵＸ２０３、コネクタ２用ＭＵＸ２０４、コネクタ１用特性情報レジスタ２０５、コネクタ２用特性情報レジスタ２０６、コネクタ１用電圧生成回路２０７、およびコネクタ２用電圧生成回路２０８を備えている。
【００５５】
読出回路２０１は、各インクジェットヘッド３４の記憶部３５に記憶されたヘッド識別情報およびヘッド特性情報を読み出し、メカコントローラＩ／Ｆ８５および主コントローラＩ／Ｆ９３を介してメカコントローラ９０に出力する。
【００５６】
ヘッド接続情報記憶部２０２は、半導体メモリを備え、各コネクタ１００と、各コネクタ１００に対してデータ線１０１を介して接続された各インクジェットヘッド３４のヘッド識別情報とが対応づけられたヘッド接続情報を記憶する。本実施形態では、図６に示すように、各コネクタ１００の番号Ｃ１〜Ｃ２４と、各インクジェットヘッド３４のヘッド識別情報ＩＤ１〜ＩＤ２４とが対応付けられたテーブルが、ヘッド接続情報として記憶されている。
【００５７】
本実施形態では、各インクジェットヘッド３４がヘッドホルダ３３に取り付けられた後、各インクジェットヘッド３４に接続された各データ線１０１が、制御基板６０の各コネクタ１００に接続される。
【００５８】
その後、各コネクタ１００に接続された各インクジェットヘッド３４の記憶部３５に記憶されたヘッド識別情報ＩＤ１〜ＩＤ２４が読出回路２０１によって読み出され、メカコントローラ９０のＣＰＵ９１によって取得され、各コネクタ１００の番号Ｃ１〜Ｃ２４と、その各コネクタ１００に接続された各インクジェットヘッド３４のヘッド識別情報ＩＤ１〜ＩＤ２４とが対応付けられてヘッド接続情報記憶部２０２に記憶される。
【００５９】
すなわち、たとえばコネクタ１００の番号Ｃ１と、その番号Ｃ１のコネクタ１００に接続されたインクジェットヘッド３４のヘッド識別情報ＩＤ１とが対応付けられてテーブルに記憶され、コネクタ１００の番号Ｃ２と、その番号Ｃ２のコネクタ１００に接続されたインクジェットヘッド３４のヘッド識別情報ＩＤ２とが対応付けられてテーブルに記憶される。
【００６０】
そして、メカコントローラ９０のＣＰＵ９１は、判定部９１ａを備え、判定部９１ａは、読出回路２０１によって読み出されたインクジェットヘッド３４の識別情報を取得し、その識別情報が、予め記憶されたヘッド接続情報と異なるか否かを判定する。
【００６１】
すなわち、たとえばインクジェットヘッド３４が故障などによって交換された場合、その交換された新しいインクジェットヘッド３４の記憶部３５に記憶されたヘッド識別情報が、読出回路２０１によって読み出され、判定部９１ａによって取得される。
【００６２】
判定部９１ａは、ヘッド接続情報記憶部２０２に記憶されたテーブルを参照し、新しいインクジェットヘッド３４が接続されたコネクタ１００の番号に対応するヘッド識別情報（交換前のインクジェットヘッド３４のヘッド識別情報）を取得し、その交換前のインクジェットヘッド３４のヘッド識別情報と新しいインクジェットヘッド３４のヘッド識別情報とが異なると判定する。そして、メカコントローラ９０のＣＰＵ９１は、この判定結果によって、インクジェットヘッド３４の交換が行われたことを認識する。
【００６３】
そして、判定部９１ａによって少なくとも２つのインクジェットヘッド３４の識別情報がヘッド接続情報と異なると判定され、すなわち少なくとも２つのインクジェットヘッド３４が交換され、かつ交換された新しいインクジェットヘッド３４に接続されたデータ線１０１の接続先のコネクタ１００が誤っている場合には、ヘッド制御回路８４は、新しいインクジェットヘッド３４に対して正しい制御データが供給されるように、新しいインクジェットヘッド３４が接続されたコネクタ１００に出力する制御データを切り替える。
【００６４】
図７および図８は、上述したデータ線１０１の接続間違いが生じた場合の印刷結果を説明するための説明図である。図７および図８では、６つのインクジェットヘッドを１〜６で示し、このインクジェットヘッド１〜６に対して、「Ａ」の文字を表す制御データを入力した場合の印刷結果を示している。
【００６５】
図７は、インクジェットヘッド１〜６のデータ線１０１が、制御基板６０のコネクタ１００に対して正しく接続されている場合の印刷結果を示しており、図８は、インクジェットヘッド１〜６のデータ線１０１が、制御基板６０のコネクタ１００に対して間違えて接続された場合の印刷結果を示している。具体的には、図８は、インクジェットヘッド１のデータ線の接続先のコネクタ１００とインクジェットヘッド２のデータ線の接続先のコネクタ１００とが入れ替わり、インクジェットヘッド３のデータ線の接続先のコネクタ１００とインクジェットヘッド４のデータ線の接続先のコネクタ１００とが入れ替わってしまった場合の印刷結果を示している。
【００６６】
図８に示すように、インクジェットヘッド１とインクジェットヘッド２に入力される制御データが入れ替わり、インクジェットヘッド３とインクジェットヘッド４に入力される制御データが入れ替わってしまうので、印刷結果は、「Ａ」の文字ではなくなってしまう。
【００６７】
そこで、本実施形態のヘッド制御回路８４は、インクジェットヘッド１〜４に対して正しい制御データが供給されるような回路構成を有する。具体的には、ヘッド制御回路８４は、図５に示すように、コネクタ１用ＭＵＸ２０３およびコネクタ２用ＭＵＸ２０４を備えている。
【００６８】
コネクタ１用ＭＵＸ２０３は、マルチプレクサであって、コネクタ１に正しく接続されたインクジェットヘッド３４に供給されるべき制御データ（コネクタ１用制御データ）と、コネクタ２に正しく接続されたインクジェットヘッド３４に供給されるべき制御データ（コネクタ２用制御データ）が入力され、その出力端子がコネクタ１に接続されている。
【００６９】
コネクタ２用ＭＵＸ２０４も、マルチプレクサであって、コネクタ１に正しく接続されたインクジェットヘッド３４に供給されるべき制御データ（コネクタ１用制御データ）と、コネクタ２に正しく接続されたインクジェットヘッド３４に供給されるべき制御データ（コネクタ２用制御データ）が入力され、その出力端子がコネクタ２に接続されている。
【００７０】
そして、たとえばコネクタ１に接続されるべきデータ線１０１（インクジェットヘッド３４）がコネクタ２に接続され、コネクタ２に接続されるべきデータ線１０１（インクジェットヘッド３４）がコネクタ１に接続された場合には、メカコントローラ９０のＣＰＵ９１は、コネクタ１用ＭＵＸ２０３をスイッチングし、コネクタ１に対して、コネクタ２用制御データが供給されるようにする。また、メカコントローラ９０のＣＰＵ９１は、コネクタ２用ＭＵＸ２０４をスイッチングし、コネクタ２に対して、コネクタ１用制御データが供給されるようにする。これにより、コネクタ１およびコネクタ２に接続されるインクジェットヘッド３４に対して、正しい制御データが供給され、正しい印刷結果を得ることができる。
【００７１】
データ線１０１の接続先のコネクタ１００が誤っている箇所は、テストパターンを印刷することによって確認される。
【００７２】
すなわち、上述したように判定部９１ａによって少なくとも２つのインクジェットヘッド３４の識別情報がヘッド接続情報と異なると判定された場合には、すなわち少なくとも２つのインクジェットヘッド３４が交換されたことが認識された場合には、メカコントローラ９０は、画像制御Ｉ／Ｆ９６を介して画像制御回路８３およびヘッド制御回路８４に制御信号を出力し、予め設定されたテストパターンを印刷させる。
【００７３】
テストパターンは、画像制御回路８３に予め設定されており、インクジェットヘッド３４毎に異なるパターンを有するテストパターンが印刷される。本実施形態では、図９に示すように、インクジェットヘッド３４毎に異なる数字および色のテストパターンが印刷される。図９に示すテストパターンは、各ラインヘッド３２ａ〜３２ｄによって、それぞれ異なる色で「１２３４５６」を印字した例である。各ラインヘッド３２ａ〜３２ｄを構成する６つのインクジェットヘッド３４によって、それぞれ「１」、「２」、「３」、「４」、「５」および「６」の文字が印字される。
【００７４】
なお、以下、「１」を印字するインクジェットヘッド３４を第１のインクジェットヘッド３４、「２」を印字するインクジェットヘッド３４を第２のインクジェットヘッド３４、「３」を印字するインクジェットヘッド３４を第３のインクジェットヘッド３４、「４」を印字するインクジェットヘッド３４を第４のインクジェットヘッド３４、「５」を印字するインクジェットヘッド３４を第５のインクジェットヘッド３４、「６」を印字するインクジェットヘッド３４を第６のインクジェットヘッド３４という。
【００７５】
また、第１のインクジェットヘッド３４のデータ線１０１が接続されるべきコネクタ１００を第１のコネクタ１００、第２のインクジェットヘッド３４のデータ線１０１が接続されるべきコネクタ１００を第２のコネクタ１００、第３のインクジェットヘッド３４のデータ線１０１が接続されるべきコネクタ１００を第３のコネクタ１００、第４のインクジェットヘッド３４のデータ線１０１が接続されるべきコネクタ１００を第４のコネクタ１００、第５のインクジェットヘッド３４のデータ線１０１が接続されるべきコネクタ１００を第５のコネクタ１００、第６のインクジェットヘッド３４のデータ線１０１が接続されるべきコネクタ１００を第６のコネクタ１００という。
【００７６】
図９に示すテストパターンの印刷結果では、ブラックの「３」と「４」が入れ替わり、「５」と「６」が入れ替わっている。この印刷結果から、ラインヘッド３２ａの第３のインクジェットヘッド３４のデータ線１０１が、間違って第４のコネクタ１００に接続され、第４のインクジェットヘッド３４のデータ線１０１が、間違って第３のコネクタ１００に接続されていることがわかる。また、第５のインクジェットヘッド３４のデータ線１０１が、間違って第６のコネクタ１００に接続され、第６のインクジェットヘッド３４のデータ線１０１が、間違って第５のコネクタ１００に接続されていることがわかる。
【００７７】
本実施形態においては、上述したようなテストパターンを印刷するようにしたので、どのインクジェットヘッド３４のデータ線の配線が誤っているかを、簡易な手法により即座に把握することができる。
【００７８】
そこで、ユーザは、この印刷結果に基づいて、第３のコネクタ１００に対して「４」の文字を印字する制御データが入力され、第４のコネクタ１００に対して「３」の文字を印字する制御データが入力されるような切り替え情報を操作パネル７０において設定入力する。
【００７９】
また、ユーザは、第５のコネクタ１００に対して「６」の文字を印字する制御データが入力され、第６のコネクタ１００に対して「５」の文字を印字する制御データが入力されるような切り替え情報を操作パネル７０において設定入力する。
【００８０】
操作パネル７０において設定入力された切り替え情報は、ユーザＩ／Ｆ８６によって取得され、メカコントローラＩ／Ｆ８５および主コントローラＩ／Ｆ９３を介して、メカコントローラ９０に出力される。メカコントローラ９０のＣＰＵ９１は、入力された切り替え情報に基づいて、たとえば図５に示したコネクタ１用ＭＵＸ２０３およびコネクタ２用ＭＵＸ２０４のようなマルチプレクサをスイッチングする。
【００８１】
なお、図５に示す回路構成例は、コネクタ１とコネクタ２に入力される制御データを切り替える場合の回路構成例であるが、たとえば、上述したように６つのインクジェットヘッド３４が接続される６つのコネクタ１００に入力される制御データを切り替える場合には、各コネクタ１００毎に、コネクタ１用ＭＵＸ２０３およびコネクタ２用ＭＵＸ２０４のようなマルチプレクサが設けられ、各マルチプレクサに対して、６つのコネクタ１００に入力されるべき制御データが入力される。
【００８２】
なお、マルチプレクサに入力される制御データについては、全てのインクジェットヘッド３４に入力されるべき制御データとしてもよいし、１つのラインヘッド３２ａ〜３２ｄに含まれる６つのインクジェットヘッド３４に入力されるべき制御データとしてもよい。
【００８３】
そして、具体的には、ＣＰＵ９１は、上述したマルチプレクサを制御することによって、「４」の文字を印字する制御データの出力先が第３のコネクタ１００となり、「３」の文字を印字する制御データの出力先が第４のコネクタ１００となるようにスイッチングを行う。
【００８４】
また、ＣＰＵ９１は、上述したマルチプレクサを制御することによって、「６」の文字を印字する制御データの出力先が第５のコネクタ１００となり、「５」の文字を印字する制御データの出力先が第６のコネクタ１００となるようにスイッチングを行う。
【００８５】
また、ヘッド制御回路８４は、各インクジェットヘッド３４の記憶部３５に記憶されたヘッド特性情報を取得し、そのヘッド特性情報に基づいて、各インクジェットヘッド３４に対して、それぞれ適正な基準電圧および駆動波形からなる電圧信号を供給する。以下、その具体的な回路構成について説明する。
【００８６】
ヘッド制御回路８４は、図５に示すように、コネクタ１に接続されたインクジェットヘッド３４の記憶部３５から読み出されたヘッド特性情報を記憶するコネクタ１用特性情報レジスタ２０５と、コネクタ２に接続されたインクジェットヘッド３４の記憶部３５から読み出されたヘッド特性情報を記憶するコネクタ２用特性情報レジスタ２０６を備えている。
【００８７】
コネクタ１に接続されたインクジェットヘッド３４の記憶部３５から読み出されたヘッド特性情報は、コネクタ１用特性情報レジスタ２０５に一旦記憶された後、コネクタ１用電圧生成回路２０７に出力される。コネクタ１用電圧生成回路２０７は、入力されたヘッド特性情報に基づいて、コネクタ１に接続されたインクジェットヘッド３４に適切な電圧信号を生成し、コネクタ１に出力する。
【００８８】
コネクタ２に接続されたインクジェットヘッド３４の記憶部３５から読み出されたヘッド特性情報は、コネクタ２用特性情報レジスタ２０６に一旦記憶された後、コネクタ２用電圧生成回路２０８に出力される。コネクタ２用電圧生成回路２０８は、入力されたヘッド特性情報に基づいて、コネクタ２に接続されたインクジェットヘッド３４に適切な電圧信号を生成し、コネクタ２に出力する。
【００８９】
これにより、コネクタ１およびコネクタ２にそれぞれ接続されたインクジェットヘッド３４に対して、より適切な電圧信号を供給することができ、各インクジェットヘッド３４をより適切に動作させることができる。
【００９０】
次に、本実施形態のインクジェット印刷装置１の動作について、図１０に示すフローチャートを参照しながら説明する。なお、ここではインクジェットヘッド３４が交換された場合の動作を中心に説明する。
【００９１】
まず、読出回路２０１によって各インクジェットヘッド３４の記憶部３５に記憶されたヘッド識別情報が読み出され、判定部９１ａによって取得される（Ｓ１０）。
【００９２】
そして、判定部９１ａは、ヘッド接続情報記憶部２０２に記憶されたテーブル（ヘッド接続情報）を参照し、番号Ｃ１〜Ｃ２４の各コネクタ１００から取得したヘッド識別情報が、上記テーブルにおける各コネクタ１００の番号Ｃ１〜Ｃ２４に対応するヘッド識別情報と２つ以上異なるか否かを判定する（Ｓ１２）。
【００９３】
そして、上記テーブルと異なるヘッド識別情報が２つ以上ある場合には（Ｓ１２,ＹＥＳ）、少なくとも２つのインクジェットヘッド３４が交換されたことが認識された場合には、メカコントローラ９０が、画像制御Ｉ／Ｆ９６を介して画像制御回路８３およびヘッド制御回路８４に制御信号を出力し、予め設定されたテストパターンを印刷させる（Ｓ１４）。
【００９４】
次に、ユーザが、テストパターンの印刷結果を確認し、データ線１０１の配線間違いが生じている場合には、その配線間違いが生じているコネクタ１００について、正しい制御データが入力されるように操作パネル７０を用いて切り替え情報を設定入力する（Ｓ１６）。
【００９５】
操作パネル７０において設定入力された切り替え情報は、メカコントローラ９０のＣＰＵ９１によって取得され、ＣＰＵ９１は、入力された切り替え情報に基づいてヘッド制御回路８４に制御信号を出力し、コネクタ１用ＭＵＸ２０３およびコネクタ２用ＭＵＸ２０４をスイッチングする（Ｓ１８）。すなわち、ＣＰＵ９１は、配線間違いが生じているコネクタ１００に対して、正しい制御データが入力されるようにスイッチングを行う。
【００９６】
そして、メカコントローラ９０のＣＰＵ９１は、コネクタ１００の番号Ｃ１〜Ｃ２４に対応するヘッド識別情報を、新しく交換されたインクジェットヘッド３４のヘッド識別情報に書き換えることによって、ヘッド接続情報記憶部２０２のテーブルを更新する（Ｓ２０）。
【００９７】
具体的には、たとえば番号Ｃ１のコネクタ１００に接続されたヘッド識別情報ＩＤ１のインクジェットヘッド３４が、ヘッド識別情報ＩＤ２５のインクジェットヘッド３４に交換され、番号Ｃ２のコネクタ１００に接続されたヘッド識別情報ＩＤ２のインクジェットヘッド３４が、ヘッド識別情報ＩＤ２６のインクジェットヘッド３４に交換された場合において、誤って、ヘッド識別情報ＩＤ２５のインクジェットヘッド３４のデータ線１０１が、番号Ｃ２のコネクタ１００に接続され、ヘッド識別情報ＩＤ２６のインクジェットヘッド３４のデータ線１０１が、番号Ｃ１のコネクタ１００に接続された場合には、番号Ｃ１に対応するインクジェットヘッド３４のヘッド識別情報として、ヘッド識別情報ＩＤ２６が記憶され、番号Ｃ２に対応するインクジェットヘッド３４のヘッド識別情報として、ヘッド識別情報ＩＤ２５が記憶されることによって、テーブルが更新される。
【００９８】
一方、Ｓ１２において、判定部９１ａが、番号Ｃ１〜Ｃ２４の各コネクタ１００から取得したヘッド識別情報が、上記テーブルの番号Ｃ１〜Ｃ２４に対応するヘッド識別情報と１つだけ異なると判定した場合には（Ｓ１２,ＮＯ,Ｓ２２,ＹＥＳ）、メカコントローラ９０のＣＰＵ９１は、コネクタ１００の番号Ｃ１〜Ｃ２４に対応するヘッド識別情報を、新しく交換されたインクジェットヘッド３４のヘッド識別情報に書き換えることによって、ヘッド接続情報記憶部２０２のテーブルを更新して、処理を終了する（Ｓ２０）。
【００９９】
このように、番号Ｃ１〜Ｃ２４の各コネクタ１００から取得したヘッド識別情報が、テーブルと１つだけ異なる場合には、テーブルの更新のみを行い、テストパターンの印刷は行わないので、無駄なテストパターンの印刷を防止することができる。
【０１００】
また、判定部９１ａが、番号Ｃ１〜Ｃ２４の各コネクタ１００から取得したヘッド識別情報と上記テーブルの番号Ｃ１〜Ｃ２４に対応するヘッド識別情報とが全て同じと判定した場合には（Ｓ２２,ＮＯ）、ヘッド接続情報記憶部２０２のテーブルを更新することなく、処理を終了する。
【０１０１】
なお、上記実施形態においては、各コネクタ１００に入力される制御データの切り替え情報を、ユーザが操作パネル７０において設定入力するようにしたが、これに限らず、たとえば印刷処理部３０によって印刷されたテストパターンを光電的に読み取り、その読み取ったテストパターンデータを解析することによって、切り替え情報を自動的に生成するようにしてもよい。
【０１０２】
具体的には、図１１に示すように、印刷処理部３０の下流側に、イメージセンサ３６を設け、このイメージセンサ３６によってテストパターンを光電的に読み取る。そして、メカコントローラ９０のＣＰＵ９１が、読み取られたテストパターンデータを取得し、文字認識および色認識を行うことによって、データ線１０１の配線間違いがあるか否かを認識する。そして、ＣＰＵ９１は、その認識結果に基づいて切り替え情報を生成し、その切り替え情報に基づいて、上記と同様の制御データのスイッチングを行う。
【０１０３】
なお、図１１に示す実施形態では、テストパターンを光電的に読み取るイメージセンサ３６を新たに設けるようにしたが、既存のイメージセンサを利用するようにしてもよい。具体的には、たとえば印刷処理部３０の上流側に設けられる用紙幅検出センサによってテストパターンを光電的に読み取るようにしてもよい。
【０１０４】
用紙幅検出センサは、本来、印刷媒体Ｐの搬送方向に直交する方向の幅を検出センサであり、その幅に基づいて、印刷対象の画像データの幅が調整される。用紙幅検出センサとしてイメージセンサを用いる場合には、これによりテストパターンを読み取ることができる。ただし、用紙幅検出センサは、印刷処理部３０の上流側に設けられるので、印刷媒体Ｐに対してテストパターンを印刷した後、反転部５０によって反転させた後、用紙幅検出センサによるテストパターンの読取りが行われる。
【０１０５】
なお、上述したようにテストパターンを光電的に読み取ったテストパターンデータに基づいて切り替え情報を生成する場合、図９に示すテストパターンのように数字の場合、文字認識を行う必要があるので、分析処理が複雑になる。
【０１０６】
そこで、分析処理が簡単なテストパターンとすることが好ましい。具体的には、たとえば図１２に示すように、インクジェットヘッド３４毎に、異なる長さの矩形パターンを印字させ、この矩形パターンの配置を分析することによって切り替え情報を生成するようにしてもよい。また、図１３に示すように、インクジェットヘッド３４毎に、異なる数のパターン（たとえば黒の矩形パターン）を印字させ、このパターンの数を分析することによって切り替え情報を生成するようにしてもよい。なお、図１２および図１３は、ラインヘッド３２ａの６つのインクジェットヘッド３４によってテストパターンを印字した例である。また、図１２および図１３に示すテストパターンをユーザが確認し、操作パネル７０において切り替え情報を設定入力するようにしてもよい。
【０１０７】
また、上記実施形態のインクジェット印刷装置１のように、切り替え情報に基づいて、各コネクタ１００に入力される制御データをスイッチングするようにした場合、さらに、その後においてインクジェットヘッド３４の交換などのメンテナンスを行う際、既に各コネクタ１００に入力される制御データが入れ替わっているため、新しいインクジェットヘッド３４のデータ線１０１の配線をさらに間違える可能性がある。
【０１０８】
そこで、たとえばコネクタ１用ＭＵＸ２０３およびコネクタ２用ＭＵＸ２０４のスイッチングの状態（切り替え状態）を操作パネル７０上に表示させて、ユーザに提示するようにしてもよい。具体的には、メカコントローラ９０のＣＰＵ９１が、コネクタ１用ＭＵＸ２０３およびコネクタ２用ＭＵＸ２０４のスイッチング状態を主コントローラ８０に出力し、主コントローラ８０は、入力されたスイッチング状態を操作パネル７０上に配線図などによって表示する。または、主コントローラ８０が、入力されたスイッチング状態に基づく配線図を生成し、画像制御回路８３およびヘッド制御回路８４を制御することによって配線図を印刷媒体Ｐに印刷するようにしてもよい。
【０１０９】
これにより、ユーザが現在の配線状態を確認することができるので、さらなる配線間違いを防止することができる。
【０１１０】
本発明のインクジェット印刷装置に関し、さらに以下の付記を開示する。
（付記）
【０１１１】
本発明のインクジェット印刷装置において、各インクジェットヘッドは、その各インクジェットヘッドに固有の特性情報を記憶する特性情報記憶部を有することができ、ヘッド制御回路は、特性情報記憶部から読み出した各インクジェットヘッドの特性情報に基づいて、各インクジェットヘッドを制御することができる。
【０１１２】
また、本発明のインクジェット印刷装置においては、判定部によって少なくとも２つのインクジェットヘッドの識別情報がヘッド接続情報と異なると判定された場合、ヘッド制御回路が、各コネクタにデータ線を介して接続された各インクジェットヘッドに対してそれぞれ異なるパターンの画像を表す制御データを出力し、インクジェットヘッド毎に異なるパターンの制御データの印刷結果に基づいて、ヘッド制御回路による制御データの出力先のコネクタの切り替えが行われることが好ましい。
【０１１３】
また、本発明のインクジェット印刷装置においては、判定部によって１つのインクジェットヘッドの識別情報のみがヘッド接続情報と異なると判定された場合、ヘッド接続情報と異なるインクジェットヘッドの識別情報が新たな識別情報として記憶されてヘッド接続情報が更新されることが好ましい。
【０１１４】
また、本発明のインクジェット印刷装置においては、ヘッド制御回路における制御データの出力先のコネクタの切り替え状態が出力されることが好ましい。
【符号の説明】
【０１１５】
１  インクジェット印刷装置
１０  サイド給紙部
１１  給紙台
１２  １次給紙部
１４  ２次給紙部
２０  内部給紙部
２１ａ〜２１ｄ  給紙台
２２ａ〜２２ｄ  １次給紙部
３０  印刷処理部
３１  ヘッドユニット
３２ａ〜３２ｄ  ラインヘッド
３３  ヘッドホルダ
３４  インクジェットヘッド
３５  記憶部
３６  イメージセンサ
４０  排紙部
４１  排紙台
４２  排紙ローラ
４３  切り替え機構
５０  反転部
５１  反転台
５２  反転ローラ
５３  搬送ローラ
６０  制御基板
７０  操作パネル
８０  主コントローラ
８１  ＣＰＵ
８２  メモリ
８３  画像制御回路
８４  ヘッド制御回路
８５  メカコントローラＩ／Ｆ
８６  ユーザＩ／Ｆ
８７  外部Ｉ／Ｆ
９０  メカコントローラ
９１  ＣＰＵ
９１ａ  判定部
９２  メモリ
９３  主コントローラＩ／Ｆ
９４  センサＩ／Ｆ
９５  アクチュエータＩ／Ｆ
９６  画像制御Ｉ／Ｆ
１００  コネクタ
１０１  データ線
１３１，１３２  吸引ファン
１３３  搬送ベルト
２０１  読出回路
２０２  ヘッド接続情報記憶部
２０３  コネクタ１用ＭＵＸ
２０４  コネクタ２用ＭＵＸ
２０５  コネクタ１用特性情報レジスタ
２０６  コネクタ２用特性情報レジスタ
２０７  コネクタ１用電圧生成回路
２０８  コネクタ２用電圧生成回路
ＣＲ  循環搬送路
ＦＲ  給紙搬送
Ｃ１〜Ｃ２４  コネクタ番号
ＩＤ１〜ＩＤ２４  ヘッド識別情報
Ｐ  印刷媒体
【図１】
2020116896.tif 000003
【図２】
2020116896.tif 000004
【図３】
2020116896.tif 000005
【図４】
2020116896.tif 000006
【図５】
2020116896.tif 000007
【図６】
2020116896.tif 000008
【図７】
2020116896.tif 000009
【図８】
2020116896.tif 000010
【図９】
2020116896.tif 000011
【図１０】
2020116896.tif 000012
【図１１】
2020116896.tif 000013
【図１２】
2020116896.tif 000014
【図１３】
2020116896.tif 000015